(57)【要約】      （修正有）【課題】外形を構成する部材を直接的に簡易な部材で連結することで、耐用年数を向上することができるゴミ収容具を提供する。【解決手段】内部にゴミを収容し、吊り上げ可能なゴミ収容具１は、上方及び下方が開放され、上下方向に延び、内部空間を形成する側部１０と、側部１０の下端に配置され、側部の下方を覆うことが可能な底部２０と、側部１０及び底部２０の側縁に設けられ、側部と底部とを接続する接続部３０と、を備え、接続部３０は、底部の側縁を、側部の下端の側縁に、側部の下端に対して回動可能に連結する連結部３１を有し、連結部３１は、内部に、側部の下端の側縁及び底部の側縁が共に遊貫する環形状に形成されている。【選択図】図２
0003233461.tif 000002
【実用新案登録請求の範囲】
【請求項１】
内部にゴミを収容し、吊り上げ可能なゴミ収容具であって、
上方及び下方が開放され、上下方向に延び、内部空間を形成する側部と、
前記側部の下端に配置され、前記側部の下方を覆うことが可能な底部と、
前記側部及び前記底部の側縁に設けられ、前記側部と前記底部とを接続する接続部と、を備え、
前記接続部は、前記底部の側縁を、前記側部の下端の側縁に、前記側部の下端に対して回動可能に連結する連結部を有し、
前記連結部は、内部に、前記側部の下端の側縁及び前記底部の側縁が共に遊貫する環形状に形成されていることを特徴とする、ゴミ収容具。
【請求項２】
前記接続部は、前記側部の下端の側縁及び前記底部の側縁が延びる方向において、前記連結部を挟むように配置され、前記連結部が当該方向へ移動することを規制する規制部を、更に備えることを特徴とする、請求項１に記載のゴミ収容具。
【請求項３】
前記底部は、側縁において、側面から下面に向かって傾斜する傾斜面を有し、前記傾斜面において、前記ゴミ収容具を吊り上げるための玉掛用具が配置されることを特徴とする、請求項１又は２に記載のゴミ収容具。
【考案の詳細な説明】
【技術分野】
【０００１】
本考案は、例えば内部にゴミを収容し、吊り上げ可能なゴミ収容具に関する。
【背景技術】
【０００２】
例えば、剛製箱の上端開口縁に、対称配置にて吊りピースを配設し、箱内には傾斜底を付設し、当該傾斜先の箱側壁に、回動引き上げ扉を枢止されているゴミボックスが提案されている（例えば、特許文献１参照）。このゴミボックスによれば、吊りピースに、ワイヤー等の玉掛用具を掛け、吊り上げることで、剛製箱内のゴミが、傾斜底を滑り、箱側壁に当接し、回動引き上げ扉を押し広げ、剛製箱外に落下する。
【先行技術文献】
【特許文献】
【０００３】
【特許文献１】実開平６−３９０５号公報
【考案の概要】
【考案が解決しようとする課題】
【０００４】
ところで、上記従来のゴミボックスにおいて、箱側壁に、回動引き上げ扉を枢止する場合、箱側壁と回動引き上げ扉とを蝶番で接続する。このような蝶番は、回動自在に接続する２つの部材に、それぞれビス等で固定される複数の板部材と、これら板部材と係合し、これらを軸支する軸部材と、備える。しかしながら、建設現場で使用されるゴミボックスは、通常、屋外に設置され風雨に曝されることとなる。ゴミボックス等のゴミ収容具の外形を構成する部材に比べ、比較的小さい部材で構成された蝶番に、経年劣化が現れ、板部材が外れたり、板部材と軸部材との係合部分が劣化し、スムーズに回動しなくなったりする。このため、ゴミ収容具の外形を構成する部材には使用上問題がないのに、可動部分において、外形を構成する部材を連結する部材の劣化により、ゴミ収容具が使用できなくなり、ゴミ収容具の耐用年数が低下してしまうという問題がある。
【０００５】
本考案は、上記の点に鑑みてなされたものであり、外形を構成する部材を直接的に簡易な部材で連結することで、耐用年数を向上することができるゴミ収容具を提供することを目的とする。
【課題を解決するための手段】
【０００６】
（１）
内部にゴミを収容し、吊り上げ可能なゴミ収容具であって、
上方及び下方が開放され、上下方向に延び、内部空間を形成する側部と、
前記側部の下端に配置され、前記側部の下方を覆うことが可能な底部と、
前記側部及び前記底部の側縁に設けられ、前記側部と前記底部とを接続する接続部と、を備え、
前記接続部は、
前記底部の側縁を、前記側部の下端の側縁に、前記側部の下端に対して回動可能に連結する連結部と、
前記側部の下端の側縁及び前記底部の側縁において、前記連結部が設けられた位置と対向する位置に設けられ、前記底部の側縁を、前記側部の下端の側縁に、解除可能にロックするロック部と、を有し、
前記連結部は、内部に、前記側部の下端の側縁及び前記底部の側縁が共に遊貫する環形状に形成されていることを特徴とする、ゴミ収容具。
【０００７】
（１）の考案において、ゴミ収容具は、内部にゴミを収容し、吊り上げ可能であり、側部と、底部と、接続部と、を備える。
側部は、上方及び下方が開放され、上下方向に延び、内部空間を形成する。
底部は、側部の下端に配置され、側部の下方を覆うことが可能である。
接続部は、側部及び底部の側縁に設けられ、側部と底部とを接続する。
接続部は、底部の側縁を、側部の下端の側縁に、側部の下端に対して回動可能に連結する連結部を有し、
連結部は、内部に、側部の下端の側縁及び底部の側縁が共に遊貫する環形状に形成されている。
【０００８】
（１）の考案によれば、側部と底部とを、連結部により、底部の側縁を、側部の下端の側縁に、側部の下端に対して回動可能に連結し、この連結部を、内部に、側部の下端の側縁及び底部の側縁が共に遊貫する環形状に形成した。これにより、底部の側縁と側部の下端の側縁とを、環形状の連結部の内部に遊貫させるだけで、ゴミ収容具の外形を構成する部材である側部と底部を回動可能に接続できる。よって、従来の蝶番のように、板部材を側部と底部とに、ビス等で固定し、これらの板部材を軸部材で回動自在に接続する構成に比べ、外形を構成する部材を直接的により簡易な部材で連結することができる。したがって、外形を構成する部材を直接的に簡易な部材で連結することで、耐用年数を向上することができる。
【０００９】
（２）
前記接続部は、前記側部の下端の側縁及び前記底部の側縁が延びる方向において、前記連結部を挟むように配置され、前記連結部が当該方向へ移動することを規制する規制部を、更に備えることを特徴とする、（１）に記載のゴミ収容具。
【００１０】
（２）の考案によれば、連結部が側部の下端の側縁及び底部の側縁が延びる方向において、連結部を挟むように、連結部が当該方向へ移動することを規制する規制部を設けたので、連結部が、使用により、適正な位置からズレてしまうことで、側部の下端に対する底部の位置も、適正な位置からズレてしまうのを防止することができる。
【００１１】
（３）
前記底部は、側縁において、側面から下面に向かって傾斜する傾斜面を有し、前記傾斜面において、前記ゴミ収容具を吊り上げるための玉掛用具が配置されることを特徴とする、（１）又は（２）に記載のゴミ収容具。
【００１２】
ここで、例えば、建設現場で使用されるゴミ収容具は、揚重機により吊り上げられて、設置場所が移動される。この場合、ゴミ収容具の底部の下に、ワイヤー等の玉掛用具が掛け回され、吊り上げられる。このとき、玉掛用具には、底部の側面から下面に連なるコーナーにおいて、最も荷重がかかる。
【００１３】
（３）の考案によれば、このような吊り上げ時に、玉掛用具に最も荷重がかかる底部の側面から下面に連なるコーナーにおいて、側面から下面に向かって傾斜する傾斜面を設け、この傾斜面に玉掛用具を配置可能とした。これにより、ゴミ収容具の吊り上げ時に、玉掛用具に最も荷重がかかる部分を分散することができるので、玉掛用具の劣化を軽減することが可能となる。
【考案の効果】
【００１４】
本考案によれば、外形を構成する部材を直接的に簡易な部材で連結することで、耐用年数を向上することができるゴミ収容具を提供することができる。
【図面の簡単な説明】
【００１５】
【図１】本考案の一実施形態に係るゴミ収容具を前面側から視た斜視図である。
【図２】本考案の一実施形態に係るゴミ収容具の後面側から視た斜視図である。
【図３】図１で一点鎖線で囲んだ部分の拡大図である。
【図４】本考案の一実施形態に係るゴミ収容具の接続部を説明する図である。（ａ）は、ゴミ収容具の初期状態（ゴミ収容具にゴミを収容する時の状態）を示し、（ｂ）は、ゴミ収容具の開放状態（ゴミ収容具内部のゴミを外部に排出する時の状態）を示している。
【図５】本考案の一実施形態に係るゴミ収容具の接続部を説明する図である。（ａ）は、初期状態のゴミ収容具が、地盤面や床面に載置された状態を示し、（ｂ）は、初期状態のゴミ収容具が、側部の係合部に取り付けられた玉掛用具により、吊り上げられた状態を示している。
【図６】本考案の一実施形態に係る開放状態のゴミ収容具を前面側から視た斜視図である。
【考案を実施するための形態】
【００１６】
以下、本考案の実施形態を図面に基づいて説明する。以下の説明において、同一又は類似の構成には同一の符号を付し、その説明を省略又は簡略化する。
【００１７】
図１は、本考案の一実施形態に係るゴミ収容具１を前面側から視た斜視図、図２は、ゴミ収容具１の後面側から視た斜視図である。図１に示すように、本実施形態のゴミ収容具１は、例えば、建設現場等で用いられ、建築資材等から発生した比較的大きいゴミを収容する。このようなゴミ収容具１は、ワイヤー等の玉掛用具により吊り上げられる。
【００１８】
ゴミ収容具１は、金属製の部材で構成され、側部１０と、底部２０と、接続部３０と、ロック部４０と、を備える。ゴミ収容具１は、底部２０の１つの辺（図２に示す例では後側において、左右方向に延びる辺）が、側部１０の下端と、接続部３０により回動自在に接続されている。また、ゴミ収容具１は、接続部３０が設けられた辺と対向する底部２０の１つの辺（図１に示す例では前側において、左右方向に延びる辺）が、ロック部４０により、解除可能にロックされている。このような構成により、ゴミ収容具１は、初期状態（図１及び図２に示す状態であり、ゴミ収容具１にゴミを収容する時の状態）では、底部２０が側部１０の下端と、ロック部４０にロックされている。そして、ゴミ収容具１は、ロック部４０のロックが解除されると、底部２０が、接続部３０を中心に回動し、ロック部４０が設けられた辺が、側部１０の下端から離れる方向に移動し、開放状態（後述する図６に示す状態であり、ゴミ収容具１内部の外部に排出する時の状態）となる。
【００１９】
側部１０は、枠１１と、枠１１に固定される側壁１２と、を備え、上方及び下方が開放され、上下方向に延び、内部空間を形成する。枠１１は、上面視で四角形状に形成され上端に配置される上枠１１ａと、上面視で四角形状に形成され下端に配置される下枠１１ｂと、上下方向に延び上枠１１ａ及び下枠１１ｂを互いに連結する縦部材１１ｃと、備える。枠１１には、例えば、上枠１１ａの四隅に、それぞれ、玉掛用具と係合可能な係合部１３が設けられている。係合部１３には、ゴミ収容具１を開放状態とする場合に、玉掛用具を係合させる。側壁１２は、枠１１の内側に固定され、例えば、網形状や板形状に形成されている。なお、本実施形態においては、側部１０は、一例として、上下面が開放された筒形状の四角柱形状に形成しているが、これに限らず、例えば、上下面が開放された筒形状の円柱形状に形成してもよい。
【００２０】
底部２０は、金属製の部材で構成され、側部の下端に配置され底枠２１と、底枠２１に固定される底板２２と、底枠２１の下面に固定される脚部２３と、を備え、側部１０の下方を覆うことが可能である。底枠２１は、上面視で四角形状に形成され、側部１０の下枠１１ｂと略同一形状に形成され、初期状態（ゴミ収容具１にゴミを収容する時の状態）では、下枠１１ｂと重なるように配置される。底板２２は、底枠２１の内側に固定され、例えば、網形状や板形状に形成されている。底板２２は、接続部３０が配置された位置に、上下方向に貫通し、後述する接続部３０の連結部３１が挿通する貫通孔２２ａ（後述する図４，図６参照）を有する。
脚部２３は、複数（例えば、図に示す例では、４つ）設けられ、底枠２１の下面から下方に突出する。脚部２３は、例えば、前後方向が開放された四角柱形状に形成されている。
【００２１】
このような脚部２３を設けることで、例えば、地盤面にゴミ収容具１が配置されていた場合に、底枠２１の下に、フォークリフトの爪を挿入し、フォークリフトによりゴミ収容具１を持ち上げ、移動等することが可能となる。また、脚部２３を前後方向が開放された四角柱形状に形成することで、脚部２３の内部に、ゴミ収容具１を吊り上げる時に用いられる玉掛用具を通すことができる。これにより、玉掛用具が、ゴミ収容具１の底部２０から外れてしまうのを防止することができる。
【００２２】
図３は、図１で一点鎖線で囲んだ部分の拡大図である。
底部２０の底枠２１は、脚部２３が設けられた位置（脚部２３の内部）の側縁において、側面から下面に向かって傾斜する傾斜面２１ａを有する。傾斜面２１ａの断面は、本実施形態において、斜め下方に膨出する円弧形状に形成されているが、平面形状に形成してもよい。このような傾斜面２１ａには、ゴミ収容具１を吊り上げるための玉掛用具が配置される。
【００２３】
図２に戻って、接続部３０は、連結部３１と、規制部３２とを備え、側部１０の下枠１１ｂ及び底部２０の底枠２１の側縁に設けられ、下枠１１ｂと底枠２１とを接続する。本実施形態に示す例では、接続部３０は、ゴミ収容具１の左右両端側の脚部２３を避けた位置と略中央に、それぞれ設けられ、計３つ設けられているが、これに限らず、ゴミ収容具１の大きさ等に応じて、任意の数を設けることができる。
【００２４】
図４は、本考案の一実施形態に係るゴミ収容具１の接続部３０を説明する図である。図４（ａ）は、ゴミ収容具１の初期状態（ゴミ収容具１にゴミを収容する時の状態）を示し、図４（ｂ）は、ゴミ収容具１の開放状態（ゴミ収容具１内部のゴミを外部に排出する時の状態）を示している。ゴミ収容具１は、図４（ａ）に示す初期状態ではロック部４０にロックされている。そして、ゴミ収容具１は、ロック部４０のロックが解除されると、底部２０が、接続部３０を中心に回動し、ロック部４０が設けられた辺が、側部１０の下端から離れる方向に移動し、図４（ｂ）に示す開放状態となる。
【００２５】
連結部３１は、下枠１１ｂ及び底部２０の底枠２１の側縁のうち、いずれかの側縁（本実施形態に示す例では、図２に示す後側において左右方向に延びる側縁）に複数（本実施形態に示す例では、２つ）設けられている。連結部３１は、底部２０の底枠２１の側縁を、側部１０の下枠１１ｂの側縁に、下枠１１ｂに対して回動可能に連結する。連結部３１は、内部に、側部１０の下枠１１ｂの側縁及び底部の側縁が共に遊貫する環形状に形成されている。また、連結部３１は、底部２０の底板２２に形成された貫通孔２２ａに通される。
【００２６】
連結部３１の内径は、連結部３１の内側に、下枠１１ｂの延びる方向（図２に示す例では左右方向）の２辺が当接した状態において、下枠１１ｂの当該２辺を有する面（図３に示す例では上面及び下面）の中央位置における、連結部３１の内側から下枠１１ｂの下面までの寸法と、底枠２１が底枠２１が延びる方向（図２に示す例では左右方向）に延びる軸を回転した場合における底枠２１の外縁が通過する仮想円Ｃ（図４（ｂ）参照）の直径寸法と、を合算した寸法又は当該寸法より僅かに大きい寸法（例えば、１〜５ｍｍ大きい寸法等）であることが望ましい。この場合、底枠２１の高さ寸法と、上記仮想円Ｃの直径寸法又は当該直径寸法より僅かに大きい寸法と差分が、下枠１１ｂの下面と底枠２１の上面とが当接する初期状態における連結部３１の内側の遊び寸法となる。このような寸法とすることで、連結部３１の内側において、底枠２１を回転可能としつつ、下枠１１ｂの下面と底枠２１の上面とが当接する初期状態における連結部３１の内側の遊び寸法を最低限に抑えることが可能となる。
【００２７】
図２に示すように、規制部３２は、下枠１１ｂの側縁及び底枠２１の側縁が延びる方向（図２に示す例では左右方向）において、連結部３１を挟むように配置され、連結部３１が当該方向へ移動することを規制する。規制部３２は、図２に示す例では、側部１０の下枠１１ｂの側縁に設けられ、円弧形状に形成され、下枠１１ｂとで形成される空間の内部に、連結部３１が挿通されているが、これに限らず、底部２０の底枠２１に設けてもよいし、下枠１１ｂと底枠２１との両方に設けてもよいし、連結部３１の上記方向へ移動を規制できれば、コの字形状等の任意の形状にしてもよい。また、上述した底部２０の底板２２に形成された貫通孔２２ａは、連結部３１の上記方向へ移動を規制する規制部としても機能する。
【００２８】
図１に示すように、ロック部４０は、連結部３１が設けられた側縁（本実施形態に示す例では、図２に示す後側において左右方向に延びる側縁）と対向する側縁（本実施形態に示す例では、図１に示す前側において左右方向に延びる側縁）に複数設けられている。本実施形態に示す例では、ロック部４０は、ゴミ収容具１の左右両端と略中央に、それぞれ設けられ、計３つ設けられているが、これに限らず、ゴミ収容具１の大きさ等に応じて、任意の数を設けることができる。
【００２９】
図３に示すように、ロック部４０は、前面から視て、略Ｌ字形状に形成され、側部１０の枠１１に回転自在に取り付けられているフック部４１と、左面から視て略コの字形状に形成され、フック部４１の下部が係合可能であり、底部２０の底枠２１に固定されている係止部４２と、を備える。
【００３０】
図５は、本考案の一実施形態に係るゴミ収容具１の接続部３０を説明する図である。図５（ａ）は、初期状態のゴミ収容具１が、地盤面や床面に載置された状態を示し、図５（ｂ）は、初期状態のゴミ収容具１が、側部１０の係合部１３に取り付けられた玉掛用具により、吊り上げられた状態を示している。
【００３１】
フック部４１は、板状体で形成され、前面から視て、略Ｌ字形状に形成された本体４１０と、本体４１０を側部１０の枠１１に回転自在に軸支するピン４２０と、を備える。
【００３２】
本体４１０は、上下方向に延びる縦部４１１と、縦部４１１の下端側から左右方向に突出する突出部４１２と、を備える。縦部４１１は、上端側に、上下方向に延び、ピン４２０の一部が挿通する挿通孔４１３を有する。突出部４１２は、縦部４１１に連なる基端側から先端側に向かって、上下方向の幅が小さくなる形状に形成され、基端において、下から中間部分に延びる欠き込み４１２ａと上から中間部分に延びる欠き込み４１２ｂとを有する。挿通孔４１３の延びる方向の長さ（図５に示す例では、上下方向）寸法は、上述した連結部３１の内側の遊び寸法より小さい寸法であり、欠き込み４１２ａの延びる方向の長さ（図５に示す例では、上下方向）寸法より大きい寸法であることが望ましい。
【００３３】
ピン４２０は、挿通孔４１３が延びる方向と直交する方向の幅より小さい寸法の外径を有し、基端が側部１０の枠１１に接続され、先端が枠１１から離れる方向（図１に示す例では前後方向）に延び、本体４１０の挿通孔４１３を挿通する軸部と、軸部の先端に固定され、挿通孔４１３が延びる方向と直交する方向の幅より大きい寸法の外径を有する頭部と、を有する。すなわち、本体４１０は、挿通孔４１３にピン４２０が挿通されることで、側部１０の枠１１に、回転及び挿通孔４１３の延びる方向（図５に示す例では、上下方向）に移動可能に取り付けられている。
【００３４】
係止部４２は、基端が底枠２１に接続され、先端が底枠２１から離れる方向（図１に示す例では前後方向）に延びる下部４２１と、下部４２１の上方において、基端が底枠２１に接続され、先端が底枠２１から離れる方向（図１に示す例では前後方向）に延びる上部４２２と、底枠２１の前面から離れた位置で、下部４２１及び上部４２２の先端を接続する接続部４２３と、を備え、下部４２１の上面、上部４２２の下面、接続部４２３の後面及び底枠２１の前面で囲まれた挿通孔４２ａを形成する。下部４２１は、初期状態のゴミ収容具１が、地盤面や床面に載置された状態（図５（ａ）に示す状態）において、フック部４１の欠き込み４１２ａと係合する。上部４２２は、初期状態のゴミ収容具１が、側部１０の係合部１３に取り付けられた玉掛用具により、吊り上げられた状態（図５（ｂ）に示す状態）において、欠き込み４１２ｂと係合する。挿通孔４２ａは、上下方向の寸法が、フック部４１の突出部４１２の欠き込み４１２ａ及び欠き込み４１２ｂを除いた基端側の上下方向の寸法より大きい寸法で形成されている。
【００３５】
ロック部４０の操作方法について説明する。図５（ａ）に示す状態では、ロック部４０により、側部１０と底部２０とがロックされている。このようなロックを解除する場合、操作者は、図５（ａ）に示す状態から、フック部４１を上方に移動させ、フック部４１の本体４１０の欠き込み４１２ａと係止部４２の下部４２１との係合を解除させ、本体４１０を回動させ、本体４１０の突出部４１２を、係止部４２の挿通孔４２ａから抜くことで、側部１０と底部２０とのロックを解除することができる。
【００３６】
ここで、側部１０と底部２０とがロックされている状態のゴミ収容具１の適切な吊り方は、玉掛用具を、底部２０の下に掛け回して吊り上げる。これにより、ゴミ収容具１を吊り上げたときに、誤って、底部２０が回動して、ゴミ収容具１が開放状態になってしまうのを防止できる。ところが、そもそも、玉掛用具を、底部２０の下に掛け回さずに、誤って、側部１０の係合部１３（図１参照）に係合させ、ゴミ収容具１を吊り上げた場合、底部２０の下に玉掛用具が掛け回わされていないので、操作者が想定していない要因で、ロック部４０のロックが解除されてしまうと、底部２０が回動して、ゴミ収容具１が開放状態になり、事故が発生するおそれがある。
【００３７】
本実施形態によれば、ゴミ収容具１は、仮に、操作者が開放状態にする意思が無い場合に、誤って、玉掛用具を、底部２０の下に掛け回さずに、側部１０の係合部１３（図１参照）に係合させ、ゴミ収容具１を吊り上げた場合、側部１０が玉掛用具に引き上げられ、底部２０が自重や内部のゴミの重量で、下方に移動し、図５（ｂ）に示す状態となる。このとき、ロック部４０のフック部４１の突出部４１２の欠き込み４１２ｂと、係止部４２の上部４２２とが係合するので、突出部４１２が、係止部４２の挿通孔４２ａから抜けてしまうことがないので、ゴミ収容具１が開放状態となることがなく、事故の発生を防止できる。
【００３８】
図６は、本考案の一実施形態に係る開放状態のゴミ収容具１を前面側から視た斜視図である。
また、操作者は、ゴミ収容具１を開放状態にする意思が有る場合には、まず、ロック部４０による側部１０と底部２０とのロックを解除し、玉掛用具を、側部１０の係合部１３に係合させ、ゴミ収容具１を吊り上げることで、側部１０が玉掛用具に引き上げられ、底部２０が、自重や内部のゴミの重量により、連結部３１を中心に回動して、ゴミ収容具１が開放状態になり、図６に示す状態となる。これにより、ゴミ収容具１は、内部のゴミを下方に排出することができる。
【００３９】
なお、本考案は、上記の実施形態に限定されるものではない。
【００４０】
上記実施形態においては、一例として、ロック部４０のフック部４１において、欠き込み４１２ｂに加え、欠き込み４１２ａを設けている。これにより、ゴミ収容具１の初期状態において、フック部４１の欠き込み４１２ａと係止部４２の下部４２１とが係合しているので、誤って、側部１０と底部２０とのロックが解除され、ゴミ収容具１が開放状態となることがないので、事故の発生を防止できる。なお、ロック部４０のフック部４１において、欠き込み４１２ａを省略し、欠き込み４１２ｂだけにしてもよい。この場合、側部１０と底部２０とが当接した状態で、フック部４１を、突出部４１２が係止部４２の挿通孔４２ａに挿通可能な位置に配置すれば、挿通孔４１３を上下方向に延びる長孔形状とせずに、ピン４２０により、側部１０の枠１１に回転自在に軸支させる構成としてもよい。
【符号の説明】
【００４１】
１        ゴミ収容具
１０      側部
１１      枠
１１ａ    上枠
１１ｂ    下枠
１１ｃ    縦部材
１２      側壁
１３      係合部
２０      底部
２１      底枠
２１ａ    傾斜面
２２      底板
２２ａ    貫通孔
２３      脚部
３０      接続部
３１      連結部
３２      規制部
４０      ロック部
４１      フック部
４２      係止部
４２ａ    挿通孔
４１０    本体
４１１    縦部
４１２    突出部
４１２ａ  欠き込み
４１２ｂ  欠き込み
４１３    挿通孔
４２０    ピン
４２１    下部
４２２    上部
４２３    接続部
【図１】
0003233461.tif 000003
【図２】
0003233461.tif 000004
【図３】
0003233461.tif 000005
【図４】
0003233461.tif 000006
【図５】
0003233461.tif 000007
【図６】
0003233461.tif 000008